(57)【特許請求の範囲】
【請求項１】
登山用アイススパイクにおいて、
前フレーム（１）及び後フレーム（２）との間を延びるとともに、等間隔に間隔が隔てられた穴（５）からなる第１及び第２の平行な列を有する接合ストリップ（４）と、
スパイクの長さを調節できるようにする固定手段と備え、
前記第２列の穴が前記第１列の穴に関して長さ方向にずらしてあり、前記固定手段が前記接合ストリップ（４）の二つの列の一方の穴（５）の一つに挿入される、アイススパイク。
【請求項２】
請求項１に記載のアイススパイクにおいて、前記第１列の穴（５）は、前記第２列の二つの隣接した穴（５）から等距離のところに配置されている、アイススパイク。
【請求項３】
請求項１に記載のアイススパイクにおいて、前記固定手段は可撓性フラップ（７）を含み、このフラップの第１端は、前記後フレーム（２）に固定的に取り付けられたスピンドルに回転自在に取り付けられており、フラップの自由端に一方の列の所定の穴に挿入されるように設計されたスタッド（６）が設けられている、アイススパイク。
【請求項４】
請求項３に記載のアイススパイクにおいて、前記フラップ（７）の自由端には、前記フラップ（７）の自由端を持ち上げて前記スタッド（６）を前記穴（５）から抜くことを可能にするグリップ手段が設けられている、アイススパイク。
【請求項５】
請求項１に記載のアイススパイクにおいて、前記接合ストリップ（４）の前記固定手段は、ねじ又はボルトによって形成されている、アイススパイク。
【請求項６】
請求項１に記載のアイススパイクにおいて、前記後フレーム（２）は、前記フラップ（７）と前記接合ストリップ（４）との間に配置された横ピース（８）を含み、この横ピースには、前記スタッド（６）を通すための案内孔（９）が設けられている、アイススパイク。
【請求項７】
請求項１に記載のアイススパイクにおいて、前記後フレーム（２）は、前記フラップ（７）と前記接合ストリップ（４）との間に配置された横ピース（８）を含み、この横ピースには、前記スタッド（６）を通すための二つの別々のオリフィスが設けられており、これらの二つのオリフィスは、夫々、二つの穴の列の一方に面するように配置されている、アイススパイク。
【発明の詳細な説明】
【０００１】
【発明の属する技術分野】
本発明は、等間隔に間隔が隔てられた穴からなる第１及び第２の平行な列を有し前後のフレーム間を延びる接合ストリップと、スパイクの長さを調節できる固定手段とを含む登山用アイススパイクに関する。
【０００２】
【従来の技術】
周知のアイススパイクは、一般的には、穴が設けられた接合ストリップを有し、この接合ストリップは、これらの穴のうちの一つの穴に通した、ねじ回しやスパナで金属製枠体の後フレームに固定されるように設計されたねじによって長さ方向調節を行うことができる。ねじの代わりにラッチングタブを使用することも周知である。これらの周知のスパイクには一列の穴が設けられており、二つの隣接した穴間の距離で決まる調節精度は、場合によっては不十分であった。
【０００３】
ドイツ国特許第ＤＥ  ９，３１２，９７７号の文献には、前後のフレーム間に配置された接合ストリップに等間隔に間隔が隔てられた二列の穴が設けられた登山用アイススパイクが記載されている。特定の実施例では、ドイツ国特許第ＤＥ９，３１２，９７７号の文献には、前後のフレームに夫々固定された二対の隣接したピンで調節ストリップをブロックすることによってスパイクの長さを正確に調節するための手段が記載されている。接合ストリップには二系統の穴対が設けられており、第１系統の二対の穴間の距離は、第２系統の二対の穴間の距離よりも大きい。二対のピンの各々は、前後のフレームが接合ストリップに関して二つの異なる態様で調節されるように、一方の系統の一対の穴と関連して作動する。しかしながら、数回の作動を必要とするこの種の調節は、実施する上であまり現実的ではない。
【０００４】
【発明が解決しようとする課題】
本発明の目的は、スパイクの長さ方向調節を更に正確に簡単に且つ迅速に行うことである。
【０００５】
【課題を解決するための手段】
本発明によれば、この目的は特許請求の範囲によって達成され、更に詳細には、第２列の穴は第１列の穴に関して長さ方向にずらしてあり、固定手段を接合ストリップの二つの列の一方の一つの穴に挿入することによって達成される。
【０００６】
この他の利点及び特徴は、単なる非限定的例として与えられ且つ添付図面に示す本発明の特定の実施例の以下の説明から更に明らかになるであろう。
【０００７】
【発明の実施の形態】
図１に示すように、登山用アイススパイクの金属製枠体３の前フレーム１及び後フレーム２は、長さ方向接合ストリップ４によって接合されている。接合ストリップ４は、ストリップに沿って等間隔の食い違った２列の穴５を有する。第２穴列の穴が第１穴列の穴に関して長さ方向にずらしてある。かくして、これらの二つの穴列により、靴のサイズに応じてスパイクの長さ方向調節を更に正確に行うことができる。
【０００８】
第２列の穴は、好ましくは、第１列の二つの隣接した穴から等間隔のところに配置されており、これによりスパイクの長さを靴の半サイズ分配だけ調節できる。
【０００９】
後フレーム２は、接合ストリップ４が挿入される案内ブラケット１０が中央部に固定された水平横ピース８を含む。接合ストリップ４は、案内ブラケット１０を通して長さ方向に移動できる。スタッド６を一つの穴５に挿入することによって接合ストリップ４を固定し、スパイクの長さを決定する。スタッド６は、可撓性フラップ７によって支持されている。フラップ７の一方の端部は、後フレーム２に固定的に取り付けられたスピンドルに回転自在に取り付けられており、かくして、スタッドを二つの列のいずれか一方の任意の一つの穴に挿入できる。
【００１０】
水平横ピース８は、フラップ７と接合ストリップ４との間に配置されており、スタッド６を一つの孔５に挿入するときにスタッド６を通すことができる案内孔９を備えている。この案内孔９は、好ましくは長円形形状であり、その長さは少なくとも二つの穴列の全幅と等しくなっている。更に、二つの別々のオリフィスの形態で案内孔を設けることができる。これらの別々のオリフィスの夫々は、二つの穴列の一方に夫々が面するように構成されている。
【００１１】
図２に示すように、フラップ７及び案内孔９によって案内されるスタッド６は、二つの列のいずれか一方の穴５に挿入できる。フラップ７は、スタッドを第１列に挿入した場合が実線で示してあり、第２列に挿入された場合が破線で示してある。フラップ７の回転は、スタッドが二つの穴列に達することができるのに十分でなければならない。
【００１２】
図３及び図４に示すように、フラップ７の自由端を持ち上げてスタッド６を接合ストリップ４の穴５から抜き、接合ストリップ４を取外すことができる。フラップ７の自由端には、好ましくは、フラップ７を容易に持ち上げることができるようにする広幅の中空部分１１が設けられている。フラップ７は、この持ち上げを行うことができるのに十分可撓性で弾性の材料で形成されているが、通常は、一つの穴にスタッドを挿入した位置を保つ。
【００１３】
スタッド６は、好ましくは、ロッド、及びスタッドをフラップに固定するように設計された平らなヘッドを含む。好ましくは円筒形形状のロッドの自由端を孔９を介して穴５に挿入する。更に良好に挿入するため、スタッドの自由端に丸味を付けることができる。
【００１４】
スタッド６に代えてねじやボルトを使用してもよい。
【００１５】
固定手段及び二列の穴により、良好な調節の正確性が得られるばかりでなく、工具を必要とせずに長さ方向調節を容易にできる。
【図面の簡単な説明】
【図１】本発明の特定の実施例によるアイススパイクの斜視図である。
【図２】図１によるスパイクの一部の平面図である。
【図３】図１によるスパイクの一部の斜視図である。
【図４】図１によるスパイクの一部の断面図である。
【符号の説明】
１  前フレーム
２  後フレーム
３  金属製枠体
４  長さ方向接合ストリップ
５  穴
６  スタッド
７  可撓性フラップ
８  水平横ピース
９  案内孔
１０  案内ブラケット
【図１】
0004112398.tif 000002
【図２】
0004112398.tif 000003
【図３】
0004112398.tif 000004
【図４】
0004112398.tif 000005